(57)【要約】【課題】写真、絵や印刷物等のカードを収容し、永久磁石等の吸着手段により壁面等に固定可能なカードフレームであって、向きを変えても収容したカードが落下しないカードフレームの提供。【解決手段】フレーム前部１ａとフレーム後部１ｂとの間にカードを収容するカード収容部を備えるとともに、フレーム後部１ｂの背面に、取付面に吸着させて固定するための永久磁石８を備えるカードフレーム１であって、フレーム前部１ａとフレーム後部１ｂとの境界部に、カード収容部へカードを出し入れするための開口部を備え、開口部に、一方が回転軸５によって軸支され、回転軸５を中心として回転することにより開口部を開放または閉塞することが可能なアーム部材６を備える。【選択図】図２
2008229265.tif 000002
【特許請求の範囲】
【請求項１】
フレーム前部とフレーム後部との間にカードを収容するカード収容部を備えるとともに、前記フレーム後部の背面に、取付面に吸着させて固定するための吸着手段を備えるカードフレームであって、
前記フレーム前部とフレーム後部との境界部に、前記カード収容部へカードを出し入れするための開口部を備え、前記開口部に、一方が回転軸によって軸支され、前記回転軸を中心として回転することにより前記開口部を開放または閉塞することが可能なアーム部材を備えたカードフレーム。
【請求項２】
前記アーム部材は、前記開口部を閉塞したときに前記回転軸に軸支される側と反対側の端部が前記フレーム後部から突出するように形成されたものであり、
前記フレーム後部は、前記フレーム後部から突出する端部近傍において前記開口部の内径が前記アーム部材の外径よりも小さくなるように形成され、かつ弾性を有するものである
請求項１記載のカードフレーム。
【請求項３】
前記吸着手段は、永久磁石であり、
前記フレーム後部は、カード収容部側と背面側とを貫通する貫通孔を備え、
前記永久磁石は、前記貫通孔よりも大きな外径を有する強磁性体であって前記フレーム後部のカード収容部側に配設された強磁性体に、前記貫通孔を通じて接着剤により接着されたものである
請求項１または２に記載のカードフレーム。
【請求項４】
前記フレーム前部は、外側枠と、この外側枠の内側に嵌合可能であって中央部分が開口された内側枠とから構成されるものである請求項１から３のいずれかに記載のカードフレーム。
【発明の詳細な説明】
【技術分野】
【０００１】
本発明は、写真、絵や印刷物等のカードを展示するためのカードフレームに関する。
【背景技術】
【０００２】
写真を展示するための写真立ては、一般的には、例えば特許文献１に記載のように、フレーム内に写真を収容し、背面から蓋をする構造を採っている。また、特許文献２に記載のように、２枚の板状部材にて前後から写真を挟持し、四隅をボルトにより締結する構造を採るものがある。
【０００３】
また、従来の写真立ての例を図に示す。図１１の（ａ）は従来の写真立ての正面図、（ｂ）は背面側からみた斜視図である。図１１に示す写真立て５０は、中央部分を開口した前部枠体５１の背面に、写真を収容する写真保持部５２を接着したものである。写真保持部５２は、上部に開口部５３が設けられており、写真はこの開口部５３から出し入れすることが可能である。また、写真保持部５２の背面には、角度調節可能なスタンド５４と、スチール製のデスクやラック等に吸着させて固定するための永久磁石５５とが設けられている。
【０００４】
この写真立て５０では、写真保持部５２の上部の開口部５３から写真を自由に出し入れして交換することが可能である。また、この写真立て５０では、スタンド５４の角度を調節してデスク等の水平面上に載置したり、スタンド５４を畳んで永久磁石５５によりスチール製のデスクやラック等の垂直面上に吸着させたりすることができ、展示形態の自由度が高い。
【０００５】
【特許文献１】特開２００６−１８１２８１号公報
【特許文献２】特開２００６−２９６９７０号公報
【発明の開示】
【発明が解決しようとする課題】
【０００６】
ところが、図１１の写真立て５０では、上部の開口部５３が開放されているので、スタンド５４によって水平面上に載置される場合は良いが、永久磁石５５によって垂直面上に吸着させる際に上下を逆にすると、写真保持部５２に保持された写真がこの開口部５３から落下してしまうという問題がある。また、特許文献１，２に記載の写真立てではフレーム内に収容した写真を出し入れするために数箇所のボルト等のロックを解除する必要があり、写真の入れ替えが面倒である。
【０００７】
そこで、本発明においては、写真、絵や印刷物等のカードを収容し、永久磁石等の吸着手段により壁面等に固定可能なカードフレームであって、向きを変えても収容したカードが落下せず、かつカードの入れ替えが容易なカードフレームを提供することを目的とする。
【課題を解決するための手段】
【０００８】
本発明のカードフレームは、フレーム前部とフレーム後部との間にカードを収容するカード収容部を備えるとともに、フレーム後部の背面に、取付面に吸着させて固定するための吸着手段を備えるカードフレームであって、フレーム前部とフレーム後部との境界部に、カード収容部へカードを出し入れするための開口部を備え、開口部に、一方が回転軸によって軸支され、回転軸を中心として回転することにより開口部を開放または閉塞することが可能なアーム部材を備えたものである。
【０００９】
本発明のカードフレームでは、アーム部材を回転して開口部を開放することにより、開放された開口部からカード収容部へカードを出し入れすることができる。また、カード収容部へカードを収容した後は、アーム部材を回転して開口部を閉塞することによって、カード収容部内のカードが落下するのを防止することができる。これにより、フレーム後部の背面に備える吸着手段により壁面等の取付面に吸着させた場合に向きを変えても、カード収容部内へ収容したカードが落下することがない。
【００１０】
ここで、アーム部材は、開口部を閉塞したときに回転軸に軸支される側と反対側の端部がフレーム後部から突出するように形成されたものであり、フレーム後部は、フレーム後部から突出する端部近傍において開口部の内径がアーム部材の外径よりも小さくなるように形成され、かつ弾性を有するものであることが望ましい。
【００１１】
これにより、アーム部材により開口部を閉塞した場合には、開口部の内径がアーム部材の外径よりも小さくなるように形成されたフレーム後部の端部によって、アーム部材が拘束されることになり、アーム部材はフレーム後部に固定される。また、この固定されたアーム部材を回転させる場合には、フレーム後部から突出するように形成された部分によってアーム部材をフレーム後部の端部から押し出すことができる。
【００１２】
また、本発明のカードフレームにおいて、吸着手段が、永久磁石であり、フレーム後部が、カード収容部側と背面側とを貫通する貫通孔を備え、永久磁石が、前記貫通孔よりも大きな外径を有する強磁性体であってフレーム後部のカード収容部側に配設された強磁性体に、前記貫通孔を通じて接着剤により接着されたものであることが望ましい。
【００１３】
これにより、フレーム後部のカード収容部側に配設された強磁性体と永久磁石とが接着剤の接着力および永久磁石の磁力によって強固に接着されるので、本発明のカードフレームが強磁性体以外の材質により形成されたものであっても、永久磁石の磁力により壁面等の取付面に取り付けられた状態から取り外す際に、永久磁石がフレーム後部から剥がれてしまうのを防止することができる。
【００１４】
また、フレーム前部は、外側枠と、この外側枠の内側に嵌合可能であって中央部分が開口された内側枠とから構成されるものであることが望ましい。これにより、本発明のカードフレームの内側枠以外の部分を共通部品とし、内側枠をニーズに合わせた様々なデザイン性を有する個別部品として組み合わせることが可能となり、低コストで多種類の異なるデザインのカードフレームを提供できる。
【発明の効果】
【００１５】
（１）フレーム前部とフレーム後部との間にカードを収容するカード収容部を備えるとともに、フレーム後部の背面に、取付面に吸着させて固定するための吸着手段を備えるカードフレームであって、フレーム前部とフレーム後部との境界部に、カード収容部へカードを出し入れするための開口部を備え、開口部に、一方が回転軸によって軸支され、回転軸を中心として回転することにより開口部を開放または閉塞することが可能なアーム部材を備えたものであることにより、アーム部材を回転して容易にカードを出し入れして入れ替えることが可能であるとともに、フレーム後部の背面に備える吸着手段により壁面等の取付面に吸着させた場合に向きを変えても、カード収容部内へ収容したカードが落下することがないカードフレームが得られる。
【００１６】
（２）アーム部材が、開口部を閉塞したときに回転軸に軸支される側と反対側の端部がフレーム後部から突出するように形成されたものであり、フレーム後部が、フレーム後部から突出する端部近傍において開口部の内径がアーム部材の外径よりも小さくなるように形成され、かつ弾性を有するものであることにより、アーム部材により開口部を閉塞した場合には、アーム部材はフレーム後部に拘束されて固定されるので、開口部の向きが変わっても容易には開かなくなるとともに、この固定されたアーム部材を回転させる場合には、フレーム後部から突出するように形成された部分によってアーム部材をフレーム後部の端部から押し出すことができるので、開口部を容易に開いてカードを出し入れすることが可能となる。
【００１７】
（３）吸着手段が、永久磁石であり、フレーム後部が、カード収容部側と背面側とを貫通する貫通孔を備え、永久磁石が、前記貫通孔よりも大きな外径を有する強磁性体であってフレーム後部のカード収容部側に配設された強磁性体に、前記貫通孔を通じて接着剤により接着されたものであることにより、本発明のカードフレームが強磁性体以外の材質により形成されたものであっても、永久磁石の磁力により壁面等の取付面に取り付けられた状態から取り外す際に、永久磁石がフレーム後部から剥がれてしまうのを防止することができる。
【００１８】
（４）フレーム前部が、外側枠と、この外側枠の内側に嵌合可能であって中央部分が開口された内側枠とから構成されるものであることにより、本発明のカードフレームの内側枠以外の部分を共通部品とし、内側枠をニーズに合わせた様々なデザイン性を有する個別部品として組み合わせることが可能となり、低コストで多種類の異なるデザインのカードフレームを提供できる。
【発明を実施するための最良の形態】
【００１９】
図１は本発明の実施の形態におけるカードフレームの正面側からみた斜視図、図２は背面側からみた斜視図、図３は正面図、図４は背面図、図５はアーム部材を開いた状態を示す正面図、図６は図５の平面図、図７は図３のＡ−Ａ線断面図、図８の（ａ）は図４のＢ部拡大図、（ｂ）は（ａ）の右側面図である。
【００２０】
図１に示すように、本発明の実施の形態におけるカードフレーム１は、写真、絵や印刷物等のカードＣを収容して展示するためのものである。カードフレーム１は、例えば、アルミニウム合金、マグネシウム合金、亜鉛合金、銅合金、鉛・錫合金等の非鉄金属（ダイカスト用合金）を原材料とするダイカスト製であり、図６および図７に示すように、一体成型されたフレーム前部１ａとフレーム後部１ｂとから構成される。カードフレーム１は、フレーム前部１ａとフレーム後部１ｂとの間に形成された空間にカードＣを収容するカード収容部２を備える。
【００２１】
フレーム前部１ａは、中央部分が開口されて正面開口部３を形成している。カード収容部２は、正面開口部３と連通されており、カード収容部２に収容されたカードＣは、正面開口部３を通じてカードフレーム１の正面から見ることが可能である。なお、正面開口部３には、カード収容部２に収容されたカードＣが見えるように透明部材を配設することも可能である。
【００２２】
フレーム前部１ａとフレーム後部１ｂとの境界部の一面（本実施形態においては上面）には、カード収容部２へカードＣを出し入れするための開口部４（図６参照。）を備える。また、この開口部４には、一方が回転軸５によって軸支され、この回転軸５を中心として回転することにより開口部４を開放または閉塞する角柱状のアーム部材６を備える。アーム部材６は、図８の（ａ）に示すように開口部４を閉塞したときに、フレーム後部１ｂに凹状の切欠きを設けることによって形成された嵌合部７に嵌合し、回転軸５に軸支される側と反対側の端部がフレーム後部１ｂから外側へ突出するように形成されている。
【００２３】
また、このアーム部材６がフレーム後部１ｂから突出する端部近傍において、フレーム後部１ｂは、図８（ｂ）に示すように、開口部４の内径がアーム部材６の外径よりも小さくなるようにフレーム前部１ａ側へ僅かに傾斜させている。ここで、本実施形態におけるカードフレーム１は、前述のようにアルミニウム合金、マグネシウム合金、亜鉛合金、銅合金、鉛・錫合金等の非鉄金属により形成されているため多少の弾性を有しており、アーム部材６により開口部４を閉塞する場合には、アーム部材６が開口部４を押し広げて嵌合部７へ嵌り込む。
【００２４】
このように、本実施形態におけるカードフレーム１では、アーム部材６により開口部４を閉塞した場合には、アーム部材６が嵌合部７に嵌り込んで拘束されることになり、アーム部材６はフレーム後部１ｂに固定される。また、この固定されたアーム部材６を回転させて開口部４を開放する場合には、フレーム後部１ｂから突出した部分を持ち上げることによってアーム部材６を嵌合部７から押し出すことができる。
【００２５】
図２に示すように、フレーム後部１ｂの背面には、壁面等の取付面に吸着させて固定するための吸着手段としての永久磁石８を備える。永久磁石８は、フレーム後部１ｂの貫通孔９内に設けられている。貫通孔９は、フレーム後部１ｂのカード収容部２側と背面側（図７の上側）とを貫通する孔である。また、永久磁石８は、フレーム後部１ｂのカード収容部２側に配設された鉄板１０に、貫通孔９を通じて接着剤により接着されている。鉄板１０は、貫通孔９よりも大きな外径を有する。なお、鉄板１０は、永久磁石８の磁力によって吸着される強磁性体であることが望ましく、強磁性体としての鉄以外にもニッケル等の板材を用いることが可能である。
【００２６】
また、本実施形態におけるカードフレーム１は、フレーム後部１ｂの背面に、角度調節可能なコの字状のスタンド１１を備える。スタンド１１の角度を調節することで、カードフレーム１は、図１および図２に示すように自立させて展示することが可能である。また、スタンド１１は、永久磁石８の周縁部に形成された４箇所の取付孔１２のうちの対向する２箇所に嵌め込んで使用することができるので、図１および図２に示すようにカードフレーム１の長辺側を水平にして使用する他、短辺側を水平にして使用することも可能である。また、このカードフレーム１は、このスタンド１１を使用せずに、背面に備えた永久磁石８により壁面等に吸着させて展示することも可能である。
【００２７】
上記構成のカードフレーム１では、アーム部材６を図５に示すように回転して開口部４を開放することにより、この開放された開口部４からカード収容部２へカードＣを出し入れすることができる。また、カード収容部２へカードＣを収容した後は、アーム部材６を回転して開口部４を閉塞することによって、カード収容部２内のカードＣが落下するのを防止することができる。したがって、フレーム後部１ｂの背面に備える永久磁石８により壁面等の取付面に吸着させた場合に向きを変えたり、スタンド１１の角度を調節した場合に開口部４が下向きになったりしても、カード収容部２内へ収容したカードＣが落下することがない。
【００２８】
また、前述のように、本実施形態におけるカードフレーム１では、アーム部材６により開口部４を閉塞した場合には、アーム部材６が嵌合部７に嵌り込んで拘束されて固定されるので、開口部４の向きが変わっても容易には開かない。一方、この固定されたアーム部材６を回転させて開口部４を開放する場合には、フレーム後部１ｂから突出した部分を持ち上げることによってアーム部材６を嵌合部７から押し出すことができるので、開口部４を容易に開いてカードＣを出し入れすることができる。
【００２９】
また、本実施形態におけるカードフレーム１では、永久磁石８が強磁性体である鉄板１０に接着剤により接着されているので、永久磁石８と鉄板１０とが接着剤の接着力だけでなく、永久磁石８の磁力によっても強固に接着されている。そのため、本発明のカードフレーム１が前述の非鉄金属等の強磁性体以外の材質により形成されたものであっても、永久磁石８の磁力により壁面等の取付面に取り付けられた状態から取り外す際に、永久磁石８がフレーム後部から剥がれてしまうのを防止することができる。また、本発明のカードフレーム１は、プラスチックにより形成することも可能である。
【００３０】
また、本発明のカードフレームは、上記フレーム前部１ａに代えて、図９に示すように、外側枠１２ａと、この外側枠１２ａの内側の溝部１３に嵌合可能であって中央部分が開口された内側枠１２ｂとから構成されるフレーム前部１２とすることも可能である。図９の（ａ）は外側枠１２ａと内側枠１２ｂとを分離した状態を示す斜視図、（ｂ）は外側枠１２ａと内側枠１２ｂとを結合した状態を示す斜視図である。図１０は図９（ａ）の縦断面図である。
【００３１】
このように、本発明のカードフレームのフレーム前部１２を外側枠１２ａと内側枠１２ｂとにより構成することで、内側枠１２ｂ以外の部分を共通部品とし、内側枠１２ｂをニーズに合わせた様々なデザイン性を有する個別部品として組み合わせることが可能となる。例えば、外側枠１２ａと内側枠１２ｂとをそれぞれ異なる色にめっきしたり、内側枠１２ｂを布、プラスチックや天然石等の外側枠１２ａとは異なる材料により形成したりすることができ、低コストで多種類の異なるデザインのカードフレームを提供できる。また、内側枠１２ｂを設けずに、外側枠１２ａの溝部１３に直接デザインを施すことも可能である。
【００３２】
また、本実施形態におけるカードフレーム１では、取付面に吸着させて固定するための吸着手段として永久磁石８を使用しているが、この永久磁石８に代えて吸盤や面ファスナ等を用いることも可能である。
【産業上の利用可能性】
【００３３】
本発明のカードフレームは、写真、絵や印刷物等のカードを展示するための器具として有用である。特に、本発明のカードフレームは、向きを変えても収容したカードが落下しないものとして好適である。
【図面の簡単な説明】
【００３４】
【図１】本発明の実施の形態におけるカードフレームの正面側からみた斜視図である。
【図２】図１のカードフレームの背面側からみた斜視図である。
【図３】図１のカードフレームの正面図である。
【図４】図１のカードフレームの背面図である。
【図５】図１のカードフレームのアーム部材を開いた状態を示す正面図である。
【図６】図５の平面図である。
【図７】図３のＡ−Ａ線断面図である。
【図８】（ａ）は図４のＢ部拡大図、（ｂ）は（ａ）の右側面図である。
【図９】本発明の実施の形態におけるカードフレームの別の例を示す図であって、（ａ）は外側枠と内側枠とを分離した状態を示す斜視図、（ｂ）は外側枠と内側枠とを結合した状態を示す斜視図である。
【図１０】図９（ａ）の縦断面図である。
【図１１】（ａ）は従来の写真立ての正面図、（ｂ）は背面側からみた斜視図である。
【符号の説明】
【００３５】
Ｃ  カード
１  カードフレーム
１ａ  フレーム前部
１ｂ  フレーム後部
２  カード収容部
３  正面開口部
４  開口部
５  回転軸
６  アーム部材
７  嵌合部
８  永久磁石
９  貫通孔
１０  鉄板
１１  スタンド
１２  フレーム前部
１２ａ  外側枠
１２ｂ  内側枠
１３  溝部
【図１】
2008229265.tif 000003
【図２】
2008229265.tif 000004
【図３】
2008229265.tif 000005
【図４】
2008229265.tif 000006
【図５】
2008229265.tif 000007
【図６】
2008229265.tif 000008
【図７】
2008229265.tif 000009
【図８】
2008229265.tif 000010
【図９】
2008229265.tif 000011
【図１０】
2008229265.tif 000012
【図１１】
2008229265.tif 000013